(57)【要約】【課題】スピーカを構造物に取り付けるためのスピーカ取付用ブラケットを小型軽量化することができ、かつ取付作業の工数を抑制することが可能なスピーカ取付用ブラケットの取付構造及びスピーカユニットを提供する。【解決手段】スピーカユニット１０はスピーカ取付用ブラケット５の取付構造１とスピーカ２を備えている。スピーカ取付用ブラケットの取付構造１は、スピーカ取付用ブラケット５とスピーカ２に取り付けられた固定フレーム３と係止部４とを備えている。係止部は、スピーカ取付用ブラケット５の通し孔５１の内周面５１ａと固定フレーム３との双方に設けられて、互いに係止することでスピーカ取付用ブラケット５と固定フレーム３とを固定することによって、スピーカ２をスピーカ取付用ブラケット５に取り付ける。【選択図】図３
2007336255.tif 000002
【特許請求の範囲】
【請求項１】
スピーカを構造物に取り付けるとともに、前記スピーカを通して当該スピーカを露出させる通し孔が設けられたスピーカ取付用ブラケットと、
前記スピーカに取り付けられるとともに、固定部材によって前記スピーカ取付用ブラケットに取り付けられて前記スピーカを前記スピーカ取付用ブラケットに取り付ける固定フレームと、
を備えたスピーカ取付用ブラケットの取付構造において、
前記スピーカ取付用ブラケットの前記通し孔の内周面と前記固定フレームとの双方に設けられるとともに、互いに係止して前記スピーカ取付用ブラケットと前記固定フレームとを固定する係止部を備えたことを特徴とするスピーカ取付用ブラケットの取付構造。
【請求項２】
前記スピーカ取付用ブラケットの長手方向の両端部のおのおのには、当該スピーカ取付用ブラケットを前記構造物に取り付けるためのブラケット固定部が設けられ、
前記係止部は、前記ブラケット固定部同士を結ぶ直線上に配置されていることを特徴とする請求項１記載のスピーカ取付用ブラケットの取付構造。
【請求項３】
前記係止部は、前記スピーカ取付用ブラケットの前記通し孔と前記固定フレームとのうち一方から他方に向かって突設する突起部と、前記他方に設けられるとともに突起部と係止する係止受け部とを備えたことを特徴とする請求項１又は請求項２記載のスピーカ取付用ブラケットの取付構造。
【請求項４】
請求項３に記載のスピーカ取付用ブラケットの取付構造を備えたことを特徴とするスピーカユニット。
【発明の詳細な説明】
【技術分野】
【０００１】
本発明は、例えば、自動車や船舶等の移動体の建造物などの構造物に取り付けられるスピーカ取付用ブラケットの取付構造及びスピーカユニットに関する。
【背景技術】
【０００２】
従来から、移動体としての自動車や船舶には、各種の音声情報を出力するためにスピーカユニットが設けられている。従来から用いられてきたスピーカユニットは、音声情報を出力するスピーカと、該スピーカを前述した自動車の乗員室の内壁などの構造物に取り付けるためのスピーカ取付用ブラケットの取付構造（例えば、特許文献１参照。）を備えている。
【０００３】
特許文献１に示された取付構造は、外縁の一部を連結片により拡開可能に連結された平面が略半円弧状の二つのブラケット片から成るスピーカ取付用ブラケットと、スピーカの外周面に設けられたフレームと、前記二つのブラケット片の双方の内周縁に設けられるとともにスピーカのフレームと係合可能な溝と、を備えている。
【０００４】
前述した構成の取付構造は、スピーカ取付用ブラケットの二つのブラケット片を拡開してスピーカを挟んで、二つのブラケット片の双方の内周縁に設けられた溝とスピーカのフレームとを係合して固定することで、スピーカがスピーカ取付用ブラケットに取り付けられる。そして、前述した自動車の乗員室の内壁などの構造物にスピーカ取付用ブラケットがねじ止め固定されてスピーカが取り付けられる。
【特許文献１】特開平６−１６５２７７
【発明の開示】
【発明が解決しようとする課題】
【０００５】
前述した従来の取付構造は、二分割に拡開するスピーカ取付用ブラケットの内周縁でスピーカを挟み、溝とフレームとを係合させることによりスピーカを固定して、自動車などの室内に取り付けられている。このため、スピーカ取付用ブラケットの構造が複雑になるとともに厚みが増すこととなり、部品が大型化し、かつ部品のコストが増大する傾向であった。
【０００６】
したがって、本発明の目的は、例えば、スピーカを構造物に取り付けるためのスピーカ取付用ブラケットを小型軽量化することができ、かつ取付作業の工数を抑制することが可能なスピーカ取付用ブラケットの取付構造及びスピーカユニットを提供することにある。
【課題を解決するための手段】
【０００７】
前記課題を解決し目的を達成するために、請求項１に記載の本発明のスピーカ取付用ブラケットの取付構造は、スピーカを構造物に取り付けるとともに、前記スピーカを通して当該スピーカを露出させる通し孔が設けられたスピーカ取付用ブラケットと、前記スピーカに取り付けられるとともに、固定部材によって前記スピーカ取付用ブラケットに取り付けられて前記スピーカを前記スピーカ取付用ブラケットに取り付ける固定フレームと、を備えたスピーカ取付用ブラケットの取付構造において、前記スピーカ取付用ブラケットの前記通し孔の内周面と前記固定フレームとの双方に設けられるとともに、互いに係止して前記スピーカ取付用ブラケットと前記固定フレームとを固定する係止部を備えたことを特徴としている。
【発明を実施するための最良の形態】
【０００８】
以下、本発明の一実施形態にかかるスピーカ取付用ブラケットの取付構造及びスピーカユニットを説明する。本発明の一実施形態にかかるスピーカ取付用ブラケットの取付構造は、スピーカ取付用ブラケットにスピーカを通して該スピーカを露出させる通し孔を形成して、該スピーカ取付用ブラケットの通し孔の内周面とスピーカに取り付けられた固定フレームとの双方に係止部を設け、該係止部が互いに係止してスピーカ取付用ブラケットと固定フレームとを固定することによって、スピーカをスピーカ取付用ブラケットに取り付けている。こうすることで、スピーカとスピーカ取付用ブラケットとの取り付けを容易にするとともに、ねじ等で固定する固定箇所を少なくすることができる。したがって、スピーカ取付用ブラケットの構造が複雑にならず小型軽量化することができ、かつ部品点数を抑制してスピーカの取り付けにかかる工数の抑制を可能としている。
【０００９】
また、係止部が、スピーカ取付用ブラケットの長手方向の両端部のおのおのに設けられたブラケット固定部同士を結ぶ直線上に配置されているので、スピーカ取付用ブラケットの構造物への取付時にかかる加重に対して、スピーカ取付用ブラケットの強度を上げるとともに、スピーカ取付用ブラケットとスピーカとの取付強度を上げることができる。このことによって、スピーカ取付用ブラケットを肉厚にして強度を上げる必要がなく、スピーカ取付用ブラケットの小型軽量化を図ることができる。
【００１０】
さらに、係止部は、スピーカ取付用ブラケットの通し孔と固定フレームとのうち一方から他方に向かって突設する突起部と、他方に設けられた係止受け部とが互いに係止することで、スピーカ取付用ブラケットと固定フレームとを固定している。したがって、スピーカ取付用ブラケットの構造が複雑にならず小型軽量化することができるので、部品のコストを抑制することができる。
【実施例】
【００１１】
本発明の一実施例を図１乃至図３に基づいて説明する。本発明の一実施例にかかるスピーカユニット１０は、図１に示すように、スピーカ取付用ブラケットの取付構造（以下単に取付構造と呼ぶ）１と、スピーカ２とを備えている。取付構造１は、スピーカ２と該スピーカ２に取り付けられた固定フレーム３とを、スピーカ取付用ブラケット５に取り付ける構造である。そして、取付構造１によってスピーカ２を取り付けたスピーカ取付用ブラケット５を、移動体としての自動車の乗員室の構造物としてのダッシュボード６に取り付けられる。
【００１２】
ダッシュボード６は、合成樹脂で構成されており、図１に示すように、スピーカ取付用ブラケット５を収容するブラケット取付凹み６１が設けられている。ブラケット取付凹み６１の底面にはスピーカ２を通しかつ露出させるスピーカ通し孔６２が貫通している。スピーカ通し孔６２の平面形状は円形である。スピーカ通し孔６２の内径は、前述したスピーカ２に取り付けられた固定フレーム３の後述するフランジ部３１の外径より若干小さい。さらにブラケット取付凹み６１は、該ブラケット取付凹み６１の長手方向の両端部それぞれに孔６３が設けられている。孔６３は、平面形状が円形に形成されるとともにダッシュボード６を貫通している。孔６３の裏側には、ナット（図示せず）が取り付けられている。ナットは、前述した孔６３と同軸に配置されている。孔６３は、後述するスピーカ取付用ブラケットが取り付けられた際にブラケット固定部５３と重なる位置に配置されている。
【００１３】
スピーカ２は、周知の磁気回路部２１と、該磁気回路部２１によって振動される振動板を有した振動部２２などを備えている。磁気回路部２１や振動部２２を構成する部品は、円柱状、円筒状又は円環状に形成されており、互いに同軸に配置されている。これらの部品の軸芯を、以下スピーカ２の軸芯Ｐ（図２などに点線で示す）と呼ぶ。この軸芯Ｐは、本発明におけるスピーカ２の向きをなしている。スピーカ２は、振動板に取り付けられたボイスコイルに音声電流が供給されて、該音声電流と磁気回路部２１とによって、振動板が振動されて、前述した音声電流に応じた音を発生する。スピーカ２は、固定フレーム３が取り付けられてスピーカ取付用ブラケット５に取り付けられる。
【００１４】
取付構造１は、図１及び図２に示すように、前述した固定フレーム３と、スピーカ取付用ブラケット５と、固定フレーム３とスピーカ取付用ブラケット５とを固定する係止部４と、を備えている。
【００１５】
スピーカ取付用ブラケット（以下、単にブラケットと呼ぶ）５は、平板状に形成され、スピーカ２を通して該スピーカ２を露出させる通し孔５１と、ブラケット５をダッシュボード６に取り付けるためのブラケット固定部５３が設けられている。ブラケット固定部５３は、ブラケット５の長手方向の両端部それぞれに設けられ、ブラケット５を貫通する平面形状が円形の孔状に形成されている。ブラケット固定部５３は、ブラケット５がダッシュボード６のブラケット取付凹み６１内に位置付けられた際にブラケット取付凹み６１の孔６３と重ねられ、ブラケット固定部５３と孔６３とにねじが通される。そして、前記ねじが前述したナットと螺合して、ブラケット５がダッシュボード６に取り付けられる。
【００１６】
通し孔５１は、平面形状が円形に形成されている。通し孔５１の内径は、前述したスピーカ２に取り付けられた固定フレーム３の後述するフランジ部３１の外径より若干小さい。通し孔５１の内縁部には内周面５１ａが設けられている。内周面５１ａは、該内周面５１ａから径方向に相対するように突設する突起部５２が二つ設けられている。突起部５２は、特許請求の範囲に記載の係止部４を構成している。
【００１７】
固定フレーム３は、円板状に形成された底板部３４と、該底板部３４の外縁から立設した外観が略裁頭錐（錐台）状の本体部３２と、該本体部３２の外縁から外周方向に延びたフランジ部３１とを備えている。底板部３４と本体部３２の外径は、前述したダッシュボード６のスピーカ通し孔６２の内径より若干小さいとともに、ブラケット５に設けられた通し孔５１の内径より若干小さい。固定フレーム３は、底板部３４が前述したスピーカ２に取り付けられることによって、スピーカ２と取り付けられる。
【００１８】
フランジ部３１は、ブラケット５の通し孔５１の内径よりも大きく円板状に形成されている。フランジ部３１には、該フランジ部３１の外縁から外周方向に突設するスピーカ固定部３５が設けられている。スピーカ固定部３５には孔３６が設けられており、スピーカ固定部３５の孔３６とブラケット５の孔５４との双方が重ねられるとともに固定部材としてのねじが通されて、スピーカ固定部３５とブラケット５とがねじ止めされることによって、スピーカ２がブラケット５に固定される。
【００１９】
本体部３２は、フランジ部３１側の端部に当該本体部３２を貫通した係止受け部３３が設けられている。係止受け部３３は、図３に示すように径方向に相対するように二つ設けられている。係止受け部３３は、特許請求の範囲に記載の係止部４を構成している。
【００２０】
係止部４は、ブラケット５の通し孔５１の内周面５１ａと固定フレーム３の本体部３２との双方に設けられており、ブラケット５の通し孔５１の内周面５１ａから径方向に突設した突起部５２と、固定フレーム３の本体部３２のフランジ部３１側に該本体部３２を貫通して設けられるとともに突起部５２が係止する係止受け部３３とによって構成されている。係止部４は、ブラケット５の長手方向の両端部それぞれに設けられた二つのブラケット固定部５３を互いに結ぶ直線Ｑ（図１中に一点鎖線で示す）上に配置されている。
【００２１】
前述した係止部４は、ブラケット５の通し孔５１の内周面５１ａに設けられた突起部５２が固定フレーム３の本体部３２に設けられた係止受け部３３に挿入されることによって突起部５２と係止受け部３３とが互いに係止することで、ブラケット５と固定フレーム３とを固定する。
【００２２】
前述した取付構造１は、突起部５２が係止受け部３３に係止することで、ブラケット５に固定フレーム３即ちスピーカ２を取り付けた後に、固定フレーム３のスピーカ固定部３５とブラケット５の孔５４とをねじ止めすることで、スピーカ２とブラケット５とを固定する。そして、スピーカ２が取り付けられたブラケット５をダッシュボード６のブラケット取付凹み６１内に位置付けて、ブラケット固定部５３とダッシュボード６の孔６３とをねじ止めすることで、ブラケット５とダッシュボード６とを取り付ける。このように、取付構造１は、スピーカ２を構造物としてのダッシュボード６に取り付ける。
【００２３】
本実施例によれば、スピーカ取付用ブラケット５の通し孔５１の内周面５１ａと固定フレーム３の本体部３２との双方に係止部４を設けている。このため、スピーカ取付用ブラケット５と固定フレーム３とを係止部４によって係止することで、スピーカ取付用ブラケット５にスピーカ２を取り付けている。こうすることによって、スピーカ２とスピーカ取付用ブラケット５との取り付けを容易にすることができる。また、ねじ等で固定する固定箇所を少なくすることができ、部品点数を抑制することができる。したがって、スピーカ取付用ブラケット５の構造が複雑にならず小型軽量化することができ、かつスピーカ２の取り付けにかかる工数の抑制を可能としている。
【００２４】
また、係止部４が、スピーカ取付用ブラケット５の長手方向の両端部それぞれに設けられたブラケット固定部５３同士を結ぶ直線上に配置されているので、スピーカ取付用ブラケット５の構造物としてのダッシュボード６への取付時にかかる加重に対して、スピーカ取付用ブラケット５の強度を上げるとともに、スピーカ取付用ブラケット５とスピーカ２との取付強度を上げることができる。したがって、スピーカ取付用ブラケット５を小型軽量化することができる。
【００２５】
さらに、係止部は、突起部５２と係止受け部３３とが互いに係止することによって、スピーカ取付用ブラケット５と固定フレーム３とを固定している。したがって、スピーカ取付用ブラケット５の構造が複雑にならず小型軽量化することができるので、部品のコストを抑制することができる。
【００２６】
前述した実施例では、スピーカ取付用ブラケット５の通し孔５１の内周面５１ａに突起部５２を設け、固定フレーム３の本体部３２に係止受け部３３を設けて係止部４を構成している。しかしながら、本発明では、図４に示すように、スピーカ取付用ブラケット５の通し孔５１の内周面５１ａに係止溝５２を設け、固定フレーム３の本体部３２に係止片３３を設けて係止部４を構成しても良い。なお、図４において、前述した実施例と同一部分には、同一符号を付して説明を省略する。
【００２７】
図４で示す場合では、スピーカ取付用ブラケットの通し孔５１の内周面５１ａをＬ字状に切り欠いて形成された係止溝５２が設けられている。係止溝５２は、内周面５１ａの径方向に相対するように二つ設けられているとともに、ブラケット５の長手方向の両端部それぞれに設けられたブラケット固定部５３同士を互いに結ぶ直線上に配置されている。
【００２８】
固定フレーム３の本体部３２のフランジ部３１側の端部に、本体部３２を外周側に切り起こして形成した係止片３３が設けられている。係止片３３は、径方向に相対して二つ設けられているとともに、スピーカ２をブラケット５と取り付けた際にブラケット５の長手方向の両端部それぞれに設けられたブラケット固定部５３同士を互いに結ぶ直線上に配置されている。
【００２９】
そして、係止片３３を係止溝５２に前述したスピーカ２の軸芯Ｐ方向に挿入した後、固定フレーム３を周方向に回転させて係止片３３をスライドさせることによって、係止片３３と係止溝５２とを係止する。
【００３０】
図４で示す場合では、固定フレーム３の係止片３３をスピーカ取付用ブラケット５の係止溝５２に挿入した後、周方向に回転させて係止片３３をスライドさせることで、係止片３３と係止溝５２とを係止する。このため、スピーカ２とスピーカ取付用ブラケット５との取り付けを容易にすることができる。したがって、スピーカ２の取り付けにかかる工数を抑制することができる。
【００３１】
前述した実施例では、スピーカ取付用ブラケット５の通し孔５１の内周面５１ａと固定フレーム３の本体部３２との双方に設けられた係止部４を、スピーカ取付用ブラケット５の長手方向の両端部それぞれに設けられたブラケット固定部５３同士を互いに結ぶ直線上に配置している。しかしながら、スピーカ取付用ブラケット５の通し孔５１の内周面５１ａと固定フレーム３との固定箇所が、ブラケット５の前記ブラケット固定部５３同士を互いに結ぶ直線上に配置されていれば如何なる構成としても良い。
【００３２】
本発明では、ブラケット５の通し孔５１と固定フレーム３とのうち一方から他方に向かって突設する突起部と、前記他方に設けられるとともに突起部と係止する係止受け部によって係止部４を構成している。しかしながら、本発明では、固定フレーム３に凸状の突起としても良く、ブラケット５の通し孔５１に凹みを設けた係止凹部としても良い。要するに本発明では、係止部は如何なる構成としても良い。
【００３３】
前述した実施例では、構造物としてのダッシュボード６を示しているが、本発明では、自動車のダッシュボード６以外の種々の構造物にスピーカ２を取り付けても良い。本発明では、自動車に限定されることなく種々の構造物にスピーカ２を取り付けても良いことは勿論である。
【００３４】
前述した実施例によれば、以下の取付構造１が得られる。
【００３５】
（付記）  スピーカ２を構造物６に取り付けるとともに、前記スピーカ２を通して当該スピーカ２を露出する通し孔５１が設けられたスピーカ取付用ブラケット５と、
前記スピーカ２に取り付けられるとともに、固定部材によって前記スピーカ取付用ブラケット５に取り付けられて前記スピーカ２を前記スピーカ取付用ブラケット５に取り付ける固定フレーム３と、
を備えたスピーカ取付用ブラケット５の取付構造１において、
前記スピーカ取付用ブラケット５の前記通し孔５１の内周面５１ａと前記固定フレーム３との双方に設けられるとともに、互いに係止して前記スピーカ取付用ブラケット５と前記固定フレーム３とを固定する係止部４を備えたことを特徴とするスピーカ取付用ブラケット５の取付構造１。
【００３６】
付記によれば、スピーカ取付用ブラケット５の通し孔５１の内周面５１ａとスピーカ２に取り付けられた固定フレーム３との双方に、互いに係止してスピーカ取付用ブラケット５と固定フレーム３とを固定する係止部４を設けている。このように、係止部４によってスピーカ取付用ブラケット５と固定フレーム３とを固定することで、スピーカ２をスピーカ取付用ブラケット５に取り付ける。こうすることで、スピーカ２とスピーカ取付用ブラケット５との取り付けを容易にすることができるとともに、ねじ等で固定する固定箇所を少なくすることができる。したがって、スピーカ取付用ブラケット５の構造が複雑にならず小型軽量化することができ、かつ部品点数を抑制してスピーカ２の取り付けにかかる工数の抑制を可能としている。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３８】
【図１】本発明の一実施例にかかる取付構造を示す分解斜視図である。
【図２】図１に示された取付構造の取り付け時を示す斜視図である。
【図３】図２中のIII−III線に沿う断面図である。
【図４】図３に示された取付構造の変形例を示す断面図である。
【図５】図４に示された取付構造の係止部が設けられたブラケットの内周面の正面図である。
【図６】図４に示された取付構造の係止部の係止過程の説明図であり、（ａ）は、係止片の挿入前の係止部を示す図であり、（ｂ）は、係止片が挿入された係止部を示す図であり、（ｃ）は、スピーカを周方向に回転させて係止片が係止位置に位置付けられた係止部を示す図である。
【符号の説明】
【００３９】
１  スピーカ取付用ブラケットの取付構造
２  スピーカ
３  固定フレーム
４  係止部
５  スピーカ取付用ブラケット
６  ダッシュボード（構造物）
１０  スピーカユニット
３３  係止受け部，係止片（係止部）
５１  通し孔
５１ａ  内周面
５２  突起部，係止溝（係止部）
５３  ブラケット固定部
Ｐ  軸心
【図１】
2007336255.tif 000003
【図２】
2007336255.tif 000004
【図３】
2007336255.tif 000005
【図４】
2007336255.tif 000006
【図５】
2007336255.tif 000007
【図６】
2007336255.tif 000008